(57)【特許請求の範囲】
【請求項１】
チューブ容器（１１０）が加圧されて化粧品が排出孔（１１１）から排出されるチューブ型の化粧品容器において、前記チューブ容器（１１０）の先端に挟まれ、中心部には閉鎖用突出部（１２２）が形成され、前記閉鎖用突出部（１２２）の下部には吐出孔（１２１）が形成され、上部外周縁の両側にそれぞれ上端から中央部まで螺旋状の螺旋溝（１３０）が形成される固定体（１２０）と、
中心部が貫通されて化粧品が排出され、外周面に前記螺旋溝（１３０）に挿入して結合される結合突起（１４２）が形成されているシールキャップ（１４０）と、
前記シールキャップ（１４０）に形成された吐出口（１４１）であって、前記シールキャップ（１４０）が下降した時に、前記閉鎖用突出部（１２２）がシールキャップ（１４１）の下部から挿入されて閉鎖される吐出口（１４１）と、
上部には前記シールキャップ（１４０）が出入りする出入り溝（１５１）が貫通形成され、内部には前記結合突起（１４２）と結合される垂直ガイド溝（１５２）が形成され、上端にはブラシノズル装着部（１５３）が形成され、前記固定体（１２０）の外周面に回転可能に結合されて回転運動によって前記シールキャップ（１４０）を昇降させる回転キャップ（１５０）と、
前記ブラシノズル装着部（１５３）に挿入して固定され、ブラシ（１６３）に挿入されるノズル（１６１）が一つ以上形成されているブラシノズル（１６０）と、
前記固定体（１２０）に脱着可能に付着するオーバーキャップ（１７０）と、
を含んで構成されることを特徴とする回転開閉式ブラシチューブ型の化粧品容器（１００
）。
【請求項２】
前記螺旋溝（１３０）は、
前記結合突起（１４２）を挿入して結合する挿入溝（１３１）と、
前記結合突起（１４２）が最大の上昇位置で結合され、前記結合突起（１４２）が締り嵌めになるように結合突起（１４２）の周りと同一であるか小さな空間を形成する上部水平溝（１３２）と
前記結合突起（１４２）が最大の下降位置で結合され、前記結合突起（１４２）が締り嵌めになるように結合突起（１４２）の周りと同一であるか小さな空間を形成する下部水平溝（１３３）と、
前記結合突起（１４２）の上昇降時の移動に干渉が発生しないように前記結合突起（１４２）と遊隔を有する空間を形成する傾斜溝（１３４）と、
前記結合突起（１４２）の下降が始まる位置で前記上部水平溝（１３２）から前記傾斜溝（１３４）にラウンド状の曲面を形成する湾曲部（１３５）と、
を含んで構成されることを特徴とする請求項１に記載の回転開閉式ブラシチューブ型の化粧品容器（１００）。
【請求項３】
前記ブラシノズル（１６０）の下部には、前記ノズル（１６１）を互いに連結する空間部（１６２）がさらに形成されることを特徴とする請求項１または２に記載の回転開閉式ブラシチューブ型の化粧品容器（１００）。
【発明の詳細な説明】
【技術分野】
【０００１】
本発明は、回転開閉式ブラシチューブ型の化粧品容器に関し、チューブ容器１１０が加圧されて化粧品が排出孔１１１から排出されるチューブ型の化粧品容器において、前記チューブ容器１１０の先端に挟まれ、中心部には閉鎖用突出部１２２が形成され、前記閉鎖用突出部１２２の下部には吐出孔１２１が形成され、上部外周縁の両側にそれぞれ上端から中央部まで螺旋状の螺旋溝１３０が形成される固定体１２０と、中心部が貫通して化粧品が排出され、外周面に前記螺旋溝１３０に挿入して結合される結合突起１４２が形成されているシールキャップ１４０と、前記シールキャップ（１４０）に形成された吐出口（１４１）であって、前記シールキャップ（１４０）が下降した時に、前記閉鎖用突出部（１２２）がシールキャップ（１４１）の下部から挿入されて閉鎖される吐出口（１４１）と、上部には前記シールキャップ１４０が出入りする出入り溝１５１が貫通形成され、内部には前記結合突起１４２と結合される垂直ガイド溝１５２が形成され、上端にはブラシノズル装着部１５３が形成され、前記固定体１２０の外周面に回転可能に結合されて回転運動によって前記シールキャップ１４０を昇降させる回転キャップ１５０と、前記ブラシノズル装着部１５３に挿入して固定され、ブラシ１６３に挿入されるノズル１６１が一つ以上形成されているブラシノズル１６０とを含んで構成されることを特徴とする回転開閉式ブラシチューブ型の化粧品容器１００に関する。
【背景技術】
【０００２】
化粧品容器には、スキンローション、エマルジョンローション、アイクリームなどが収容される。特に、スキンローション、アイクリームなどのようなゲル（ＧＥＬ）タイプの化粧品には、使用が簡便で、かつ製造コストの安いチューブ型の化粧品容器が広く使用されている。このような既存の化粧品容器には、ゲルタイプの化粧品をさらに便利に塗布することが可能になるようにスポンジなどの多孔性弾性材質で構成されるブラシが吐出口に付着されている形態が多数存在する。
【０００３】
しかし、このような既存のブラシが付着されたチューブ型の化粧品容器の場合、適切な開閉手段がない場合、使用中または保管中にチューブ容器が予期せず加圧されて化粧品が漏れる現象が発生するという問題点があった。
【発明の概要】
【発明が解決しようとする課題】
【０００４】
本発明は、前記の既存の発明の問題点を解決して、簡単に回転キャップを回す動作だけでも簡単に化粧品の排出を開閉することが可能であり、使用中または保管中にチューブ容器が予期せず加圧される場合にも、化粧品が漏れることを防止することができる回転開閉式ブラシチューブ型の化粧品容器を提供することをその課題とする。
【０００５】
また、効率的な作動が可能な螺旋溝の形状によって、最大の上昇降位置では、シールキャップ及び回転キャップが堅く固定されていることが可能であり、上昇降の作動中には、スムーズな作動を可能にすることをその課題とする。
【課題を解決するための手段】
【０００６】
前記の課題を達成するために、本発明の回転開閉式ブラシチューブ型の化粧品容器は、チューブ容器１１０が加圧されて化粧品が排出孔１１１から排出されるチューブ型の化粧品容器において、前記チューブ容器１１０の先端に挟まれ、中心部には閉鎖用突出部１２２が形成され、前記閉鎖用突出部１２２の下部には吐出孔１２１が形成され、上部外周縁の両側にそれぞれ上端から中央部まで螺旋状の螺旋溝１３０が形成される固定体１２０と、中心部が貫通して化粧品が排出され、外周面に前記螺旋溝１３０に挿入して結合される結合突起１４２が形成されているシールキャップ１４０と、前記シールキャップ１４０に形成された吐出口１４１であって、前記シールキャップ１４０が下降した時に、前記閉鎖用突出部１２２がシールキャップ１４１の下部から挿入されて閉鎖される吐出口１４１と、上部には前記シールキャップ１４０が出入りする出入り溝１５１が貫通形成され、内部には前記結合突起１４２と結合される垂直ガイド溝１５２が形成され、上端にはブラシノズル装着部１５３が形成され、前記固定体１２０の外周面に回転可能に結合されて回転運動によって前記シールキャップ１４０を昇降させる回転キャップ１５０と、前記ブラシノズル装着部１５３に挿入して固定され、ブラシ１６３に挿入されるノズル１６１が一つ以上形成されているブラシノズル１６０と、前記固定体１２０に脱着可能に付着するオーバーキャップ１７０とを含んで構成されることを特徴とする。
【０００７】
また、前記螺旋溝１３０は、前記結合突起１４２を挿入して結合する挿入溝１３１と、前記結合突起１４２が最大の上昇位置で結合され、前記結合突起１４２が締り嵌めになるように結合突起１４２の周りと同一であるか小さな空間を形成する上部水平溝１３２と、前記結合突起１４２が最大の下降位置で結合され、前記結合突起１４２が締り嵌めになるように結合突起１４２の周りと同一であるか小さな空間を形成する下部水平溝１３３と、前記結合突起１４２の上昇降時に移動に干渉が発生しないように前記結合突起１４２と遊隔を有する空間を形成する傾斜溝１３４と、前記結合突起１４２の下降が始まる位置で前記上部水平溝１３２から前記傾斜溝１３４にラウンド状の曲面を形成する湾曲部１３５とを含んで構成されることを特徴とする。
【０００８】
一方、前記ブラシノズル１６０の下部には、前記ノズル１６１を互いに連結する空間部１６２がさらに形成されることを特徴とする。
【発明の効果】
【０００９】
本発明による場合、簡単に回転キャップを回す動作だけでも簡単に化粧品の排出を開閉することが可能であり、使用中または保管中にチューブ容器が予期せず加圧される場合にも、化粧品が漏れることを防止することができるという長所がある。
【００１０】
また、効率的な作動が可能な螺旋溝の形状によって、最大の上昇降位置では、シールキャップ及び回転キャップが堅く固定されていることが可能であり、上昇降の作動中には、スムーズな作動が可能であるという長所がある。
【図面の簡単な説明】
【００１１】
【図１】本発明の回転開閉式ブラシチューブ型の化粧品容器の前面断面図である。
【図２】本発明の回転開閉式ブラシチューブ型の化粧品容器の側面断面図である。
【図３】本発明の回転開閉式ブラシチューブ型の化粧品容器の分解斜視図である。
【図４】本発明の回転開閉式ブラシチューブ型の化粧品容器の螺旋溝の詳細図である。
【図５】本発明の回転開閉式ブラシチューブ型の化粧品容器の閉鎖時の主要部断面図である。
【図６】本発明の回転開閉式ブラシチューブ型の化粧品容器の開放時の主要部断面である。
【発明を実施するための形態】
【００１２】
以下では、添付の図面を参照して、本発明の一実施例による回転開閉式ブラシチューブ型の化粧品容器を詳しく説明する。先ず、図面のうち、同一の構成要素または部品は、可能な限り同一の参照符号で表していることに留意しなければならない。本発明を説明するにあたって、関連の公知機能或いは構成に関する具体的な説明は、本発明の要旨を曖昧にしないために省略する。
【００１３】
本発明の回転開閉式ブラシチューブ型の化粧品容器は、図１及び図３に示すように、大きく、チューブ容器１１０、固定体１２０、シールキャップ１４０、回転キャッブ１５０及びブラシノズル１６０を含んで構成される。
【００１４】
チューブ容器１１０は、図１に示すように、内部に化粧品が貯蔵・保管されている。前記チューブ容器１１０は、多様な材質で製造されてもよいが、一般的には、合成樹脂材で製造されることが好ましい。前記チューブ容器１１０の上端には、図１に示すように排出孔１１１が形成され、使用者が前記チューブ容器１１０を加圧することで前記排出孔１１１に化粧品が排出される。
【００１５】
次に、固定体１２０について説明する。前記固定体１２０は、図１に示すように、前記チューブ容器１１０の先端に挟まれ、中心部には閉鎖用突出部１２２が形成されている。前記閉鎖用突出部１２２の下部には、図１に示すように、前記排出孔１１１から排出された化粧品が通過することができるように吐出孔１２１が形成されている。前記固定体１２０の上部外周縁の両側には、図１及び図３に示すように、それぞれ上端から中央部まで螺旋状の螺旋溝１３０が形成されており、後述する結合突起１４２が結合される。
【００１６】
一方、前記螺旋溝１３０は、図４に示すように、本発明の回転開閉式ブラシチューブ型の化粧品容器１００を組立てて製造する場合、前記結合突起１４２を挿入して結合する挿入溝１３１と、前記結合突起１４２が最大の上昇位置で結合され、前記結合突起１４２が締り嵌めになるように結合突起１４２の周りと同一であるか小さな空間Ａを形成する上部水平溝１３２と、前記結合突起１４２が最大の下降位置で結合され、前記結合突起１４２が締り嵌めになるように結合突起１４２の周りと同一であるか小さな空間Ａ’を形成する下部水平溝１３３と、前記結合突起１４２の上昇降時の移動に干渉が発生しないように前記結合突起１４２と遊隔を有する空間Ｂを形成する傾斜溝１３４と、前記結合突起１４２の下降が始まる位置で前記上部水平溝１３２から前記傾斜溝１３４にスムーズに進入可能にラウンド状の曲面を形成する湾曲部１３５とを含んで構成されることが好ましい。
【００１７】
次に、シールキャップ１４０について説明する。前記シールキャップ１４０は、図１及び図６に示すように、中心部が貫通して開放時に化粧品が排出されることが可能であり、図５に示すように、下降時に前記閉鎖用突出部１２２が下部から挿入して閉鎖される吐出孔１４１が形成されている。また、前記シールキャップ１４０の外周面には、図１及び図３に示すように、前記螺旋溝１３０に挿入して結合される結合突起１４２が形成されている。
【００１８】
次に、回転キャップ１５０について説明する。前記回転キャップ１５０は、図１及び図３に示すように、上部には前記シールキャップ１４０が出入りする出入り溝１５１が貫通形成され、内部には前記結合突起１４２と結合する垂直ガイド溝１５２が形成され、上端にはブラシノズル装着部１５３が形成されている。前記回転キャッブ１５０は、図１及び図３に示すように、前記固定体１２０の外周面に回転可能に結合されて回転運動によって前記垂直ガイド溝１５２に結合された前記結合突起１４２が連動して動き、前記螺旋溝１３０に沿って移動しながら前記シールキャップ１４０を昇降させる作動が可能になる。
【００１９】
次いで、ブラシノズル１６０について説明する。前記ブラシノズル１６０は、図１及び図３に示すように、前記ブラシノズル装着部１５３に挿入して固定され、ブラシ１６３に挿入されるノズル１６１が一つ以上形成されている。一方、前記ブラシノズル１６０の下部には、図１に示すように、前記ノズル１６１を互いに連結する空間部１６２がさらに形成されて、より一層円滑でかつ効率的な化粧品の吐出を可能にすることが好ましい。
【００２０】
一方、本発明の回転開閉式ブラシチューブ型の化粧品容器１００は、図１及び図３に示すように、前記固定体１２０に脱着可能に付着するオーバーキャップ１７０をさらに含んで構成されることが好ましい。
【００２１】
以上により、図面と明細書では最適な実施例が開示された。ここで特定の用語が用いられたが、これは、単に本発明を説明するための目的として用いられ、意味の限定や特許請求の範囲に記載された本発明の範囲を制限するために用いられたものではない。それで、本技術分野における通常の知識を有する者であれば、これから多様な変形及び均等な他の実施例が可能であるという点が理解できるであろう。従って、本発明の真正な技術的保護範囲は、添付した特許請求の範囲の技術的思想によって定められるべきである。
【図１】
0005874883.tif 000002
【図２】
0005874883.tif 000003
【図３】
0005874883.tif 000004
【図４】
0005874883.tif 000005
【図５】
0005874883.tif 000006
【図６】
0005874883.tif 000007